(57)【要約】【課題】  洗濯ばさみ把持部に孔が開いていない形状のものや洗濯ばさみ吊り下げ具の形状がチェーン型（鎖状）や棒型（ストレート状）であるもの。また洗濯ハンガーから取り外すことができない洗濯ばさみなど、どのような形状のものであっても、手間をかけることなく洗濯ハンガーから洗濯ばさみを外すことなく、そのまま自宅にある洗濯ハンガーの洗濯ばさみに後付で、高齢者でも容易に取り付けることができる洗濯ばさみ絡み防止補助具を提供する。【解決手段】  洗濯ばさみ把持部５に先端から被せて取り付ける弾性を備えた袋状キャップ３を両端に備え、その一対の袋状キャップ３は弾性を備えたバンドで連結し洗濯ばさみ吊り下げ具８を通す孔を有するもの。また、この孔の一方の連結辺を開放した洗濯ばさみ絡み防止補助具である。【選択図】  図４
2014057708.tif 000002
【特許請求の範囲】
【請求項１】
洗濯ばさみの把持部に被せて固定する弾性を備えた袋状のキャップを両端に備え、その一対の袋状キャップは弾性を備えたバンドで連結されていることを特徴とする洗濯ばさみ絡み防止補助具。
【請求項２】
前記弾性を備えたバンドは、一対の袋状キャップを鉢巻状に連結されていることを特徴とする請求項１記載の洗濯ばさみ絡み防止補助具。
【請求項３】
前記弾性を備えたバンドは、帯状に形成され、洗濯ばさみ吊り下げ具を通す孔を設け、この孔の一方の連結辺を開放したことを特徴とする請求項１記載の洗濯ばさみ絡み防止補助具。
【請求項４】
前記鉢巻状に連結した弾性を備えたバンドの一方の連結辺を開放したことを特徴とする請求項２記載の洗濯ばさみ絡み防止補助具。
【発明の詳細な説明】
【技術分野】
【０００１】
本発明は、洗濯ハンガーに取り付けられている洗濯ばさみに装着し、洗濯ばさみどうしや洗濯ばさみと洗濯ハンガーの枠または、洗濯物との絡まりを防止し、さらに二つ折りにした洗濯ハンガーを重ねて収納した時にも洗濯ハンガーどうしの絡まりを防止するための補助具に関するものである。
【背景技術】
【０００２】
洗濯ばさみは、両方の洗濯ばさみ把持部を摘む事により輪ばねが作用し先端部分が開き、洗濯物を挟み止める構造になっている。
従来より、洗濯ばさみどうし等の絡まりを防止するため、絡まりの原因となるＶ字型の洗濯ばさみの両把持部の間の空間、すなわちＶ字型の空間をなくすためいろいろな工夫がなされてきた。
【先行技術文献】
【特許文献】
【０００３】
【特許文献１】特開１９９７-２２５１９０
【特許文献２】特開２００５-１３７７４６
【特許文献３】特開２００６-３１４７４９
【０００４】
特許文献１では、軟質性テープの左右に矢じり形凸部を形成し洗濯ばさみの両把持部先端にある孔を利用して固定する引っ掛かり防止テープであって、洗濯ばさみの把持部にある孔に通して固定すると、孔は洗濯ばさみ把持部の中央部分にあるため、孔を利用して固定すると軟質性テープで洗濯ばさみ吊り下げ具が邪魔になる。よって、本文献は洗濯ばさみ吊り下げ具を洗濯ばさみの把持部に固定する構造になっている。
【０００５】
特許文献１の問題点として、テープを固定するためには洗濯ばさみの把持部に孔がなければ固定することができず、固定するためには洗濯ばさみ吊り下げ具が邪魔になるので洗濯ばさみ吊り下げ具を特許文献１図２に示すように洗濯ばさみの一方の把持部に固定するようになっている。したがって洗濯ばさみの製造段階において洗濯ばさみ吊り下げ具を針金製バネに固定せずに洗濯ばさみ把持部に固定しなければならず、自宅にある洗濯ハンガーの洗濯ばさみに後付するにはむずかしい。
【０００６】
特許文献２では、洗濯ばさみの両把持部を扇型空間を形成するようなバンドを洗濯ばさみ把持部の孔を利用して固定するもので、そのバンドには洗濯ばさみ吊り下げ具を通す孔が開いていることを特徴としているものと洗濯ばさみとバンドが一体形成になって洗濯ばさみの把持部と把持部の間の空間がないものがある。
【０００７】
特許文献２の問題点として、バンドを固定するためには特許文献１と同様に洗濯ばさみ把持部に孔が開いていなければ固定できない。また、洗濯ばさみ吊り下げ具をバンドに通すためには、洗濯ばさみ吊り下げ具を洗濯ハンガー若しくは洗濯ばさみから外さなければならないという手間が生じる。また、洗濯ばさみとバンドが一体形成になっているものは製造段階でこのような形状の洗濯ばさみを製作しなければならずコストもかかる。
【０００８】
特許文献３では、洗濯ばさみ吊り下げ具を中心に通したスリットの付いたガイド体の両サイドから出ているそれぞれの連結体を洗濯ばさみ把持部の孔を利用して固定するものである。特許文献２との大きな違いは洗濯ばさみ吊り下げ具を通すためのスリットがあることである。
【０００９】
特許文献３の問題点として、ガイド体を固定するためには特許文献１、２と同様に洗濯ばさみ把持部に孔が開いていなければ固定できない。また、洗濯ばさみ吊り下げ具を通すガイド体が必須であり、さらに洗濯ばさみ把持部に固定するための連結体も必須になり、構造も複雑になる。また、チェーン型（鎖状）の洗濯ばさみ吊り下げ具を備えたものでは凹凸がありガイド体がスムーズに上下することは困難である。洗濯ばさみ吊り下げ具には様々な形状のものがあり、後付でガイド体のスリットを通すことができない場合もある。形状も立体形成品なので複雑でコストもかかり、製造工程で専用の洗濯ばさみでなければ装着できる洗濯ばさみも限定される。
【００１０】
以上のように、先行技術においての共通点はいずれも洗濯ばさみ把持部の孔を利用して固定するものであり、洗濯ばさみ把持部の孔が必須になるが、洗濯ばさみ把持部に孔がない洗濯ばさみもある。また、孔がある場合も洗濯ばさみによっては孔の大きさや形状も様々であり、必ず固定できるものでもない。また、洗濯ばさみ吊り下げ具もチェーン型（鎖状）や棒型（ストレート状）など様々な形状のものがある。従って自宅で使用しているどのような形状の洗濯ハンガーの洗濯ばさみに後付で固定するには改良の必要がある。
【発明の概要】
【発明が解決しようとする課題】
【００１１】
本発明は、上記問題点に鑑みてなされたもので、洗濯ばさみ把持部に孔が開いていない形状のものや洗濯ばさみ吊り下げ具の形状がチェーン型（鎖状）や棒型（ストレート状）であるもの。また洗濯ハンガーから取り外すことができない洗濯ばさみなど、どのような形状のものであっても、手間をかけることなく洗濯ハンガーから洗濯ばさみを外すことなく、そのまま自宅にある洗濯ハンガーの洗濯ばさみに後付で、高齢者でも容易に取り付けることができ、耐久性に優れ、製造工程においても複雑な工程を省くことができ、コストも節減できる洗濯ばさみ絡み防止補助具を提供することを目的とする。
【課題を解決するための手段】
【００１２】
上記課題を解決し上記目的を達成するために、本発明のうち第１の態様に係るものは、洗濯ばさみの把持部に被せて固定する弾性を備えた袋状のキャップを両端に備え、その一対の袋状キャップは弾性を備えたバンドで連結されていることを特徴とする洗濯ばさみ絡み防止補助具である。
【００１３】
本発明によれば、洗濯ばさみ絡み防止補助具を洗濯ばさみに取り付ける方法として洗濯ばさみ把持部の孔を利用して固定するものではなく、洗濯ばさみ把持部に先端から被せて固定できるように袋状のキャップを両端に備えているので、洗濯ばさみ把持部に孔が有っても無くても関係なく容易に袋状キャップを被せて固定することができる。
【００１４】
洗濯ばさみ絡み防止補助具を取り付けることにより両端に備えた袋状キャップに連結された弾性を備えたバンドでＶ字型の洗濯ばさみの両把持部の間にできる絡まりの原因となる空間を埋めることができる。
【００１５】
本発明のうち第２の態様に係るものは、第１の態様に係る洗濯ばさみ絡み防止補助具であって、弾性を備えたバンドは、一対の袋状キャップを鉢巻状に連結されていることを特徴とする請求項１記載の洗濯ばさみ絡み防止補助具である。
【００１６】
本発明によれば、弾性を備えたバンドは一対の袋状キャップを鉢巻状に連結されているので洗濯ばさみ絡み防止補助具を取り付けると、弾性を備えた鉢巻状のバンドは洗濯ばさみ把持部の側面を鉢巻状に形成し、Ｖ字型の洗濯ばさみの両把持部の間にできる絡まりの原因となる空間を埋めることができる。
【００１７】
本発明のうち第３の態様に係るものは、第１の態様に係る洗濯ばさみ絡み防止補助具であって、弾性を備えたバンドは、帯状に形成され、洗濯ばさみ吊り下げ具を通す孔を設け、この孔の一方の連結辺を開放したことを特徴とする請求項１記載の洗濯ばさみ絡み防止補助具である。
【００１８】
本発明によれば、帯状の弾性を備えたバンドに洗濯ばさみ吊り下げ具を通す孔を設け、この孔の一方の連結辺を開放する。洗濯ばさみ吊り下げ具を通す孔の一方の連結辺を開放することにより、どのような形状の洗濯ばさみ吊り下げ具であっても開放された部分から洗濯ばさみ吊り下げ具を容易に押し込んで孔の中に通すことができる。
【００１９】
本発明のうち第４の態様に係るものは、第２の態様に係る洗濯ばさみ絡み防止補助具であって、鉢巻状に連結した弾性を備えたバンドの一方の連結辺を開放したことを特徴とする請求項２記載の洗濯ばさみ絡み防止補助具である。
【００２０】
本発明によれば、鉢巻状に連結した弾性を備えたバンドの一方の連結辺を開放したことにより第３の態様と同様の効果を得ることができる。
【発明の効果】
【００２１】
先行技術ではこれまで、洗濯ばさみ絡み防止補助具を取り付けるために洗濯ばさみ把持部にある孔を利用するもので、洗濯ばさみ把持部に孔が無ければ固定することができなかった。本発明によれば、洗濯ばさみ把持部に孔の無いものでも関係なく弾性を備えた袋状のキャップを洗濯ばさみ把持部に被せて取り付けることができるので、自宅にある洗濯ハンガーに取り付けられているどのような形状の洗濯ばさみであっても容易に取り付けることができる。また、洗濯ばさみ絡み防止補助具を取り付けることにより両端に備えた袋状キャップに連結された弾性を備えたバンドでＶ字型の洗濯ばさみの両把持部の間にできる絡まりの原因となる空間を埋めることができ、洗濯ハンガーを二つ折りにした状態から広げる際に洗濯ばさみどうしの絡まりや洗濯ばさみと洗濯ハンガーの枠体、または洗濯物との絡まりを防ぐことができる。また、洗濯ハンガーを二つ折りにして他の洗濯ハンガーと重ねて収容している場合にも他の洗濯ハンガーとの絡まりを防ぐことができ洗濯物を干すときの作業効率も向上し洗濯ばさみの破損も防ぐことができる。
【００２２】
一対の洗濯ばさみ把持部の両方を鉢巻状に連結された弾性を備えたバンドにおいてもＶ字型の洗濯ばさみの両把持部の間にできる絡まりの原因となる空間を埋めることができ、前記と同様の効果を得ることができる。
【００２３】
帯状に形成された弾性を備えたバンドに洗濯ばさみ吊り下げ具を通す孔を設け、この孔の一方の連結辺を開放しているものや鉢巻状に連結した弾性を備えたバンドの一方の連結辺を開放したものなどは、チェーン型（鎖状）や棒型（ストレート状）など、どのような形状の洗濯ばさみ吊り下げ具であっても開放された部分から洗濯ばさみ吊り下げ具を容易に押し込んで孔の中または、鉢巻状のバンドの中に容易に通すことができる。
【００２４】
以上のように、本発明によれば後付で自宅にある洗濯ハンガーの洗濯ばさみを洗濯ハンガーから外すことなく、どのような形状の洗濯ばさみ及びどのような形状の洗濯ばさみ吊り下げ具であっても容易に取り付けることができる。さらに、製造工程においても複雑な工程を省くことができ、コストも節減できる。
【図面の簡単な説明】
【００２５】
【図１】（ａ）本発明の実施例１の洗濯ばさみ絡み防止補助具１の上面図である。（ｂ）同洗濯ばさみ絡み防止補助具１の下面図である。（ｃ）同洗濯ばさみ絡み防止補助具１の上方斜視図である。（ｄ） 同洗濯ばさみ絡み防止補助具１の弾性を備えたバンド４を湾曲にした時の側面図である。
【図２】（ａ）洗濯ハンガー１０の全体図である。（ｂ）洗濯ハンガー１０に吊るされた洗濯ばさみ５の拡大図である。
【図３】（ａ）同洗濯ばさみ絡み防止補助具１の洗濯ばさみ吊り下げ具通し孔２を洗濯ばさみ留部７の方向から通す方法を示す図である。（ｂ）同洗濯ばさみ絡み防止補助具１の袋状キャップ３を洗濯ばさみ把持部６に取り付ける方法を示す図である。（ｃ） 同洗濯ばさみ絡み防止補助具１の洗濯ばさみ留部７に物を挟んで固定した図である。
【図４】同洗濯ばさみ絡み防止補助具１を洗濯ばさみ５に取り付けた図である。
【図５】同洗濯ばさみ絡み防止補助具１を洗濯ばさみ５に取り付けて洗濯ばさみ把持部６を摘んだ時の図である。
【図６】同洗濯ばさみ絡み防止補助具１の弾性を備えたバンド４の変形例を示す上面図である。
【図７】（ａ）本発明の実施例２の洗濯ばさみ絡み防止補助具１１の上方斜視図である。（ｂ）同洗濯ばさみ絡み防止補助具１１を洗濯ばさみ留部７の方向から取り付ける方法を示す図である。（ｃ）同洗濯ばさみ絡み防止補助具１１を洗濯ばさみ５に取り付けた図である。（ｄ）同洗濯ばさみ絡み防止補助具１１を洗濯ばさみ５に取り付け、洗濯ばさみ把持部６を摘んだ時の鉢巻状の弾性を備えたバンド４の上面図である。
【図８】（ａ）本発明の実施例３の洗濯ばさみ絡み防止補助具１２の上面図である。（ｂ）同洗濯ばさみ絡み防止補助具１２の洗濯ばさみ吊り下げ具通し孔２に洗濯ばさみ吊り下げ具８を通す方法を示す図である。
【図９】同洗濯ばさみ絡み防止補助具１２の弾性を備えた帯状のバンド４の一方の連結辺を開放するその他の各種変形例を示す上面図（ａ）（ｂ）（ｃ）（ｄ）である。
【図１０】本発明の実施例４の洗濯ばさみ絡み防止補助具１３の上方斜視図である。
【図１１】同洗濯ばさみ絡み防止補助具１３の変形例を示す上方斜視図である。
【発明を実施するための形態】
【実施例１】
【００２６】
以下、本発明の洗濯ばさみ絡み防止補助具１の実施例１について図面を参照しながら説明する。図１（ａ）は本発明の洗濯ばさみ絡み防止補助具１の上面図であり、図１（ｂ）は同洗濯ばさみ絡み防止補助具１の下面図であり、図１（ｃ）は同洗濯ばさみ絡み防止補助具１の上方斜視図であり、図１（ｄ）は同洗濯ばさみ絡み防止補助具１の弾性を備えたバンド４を湾曲にした時の側面図であり、図２（ａ）は洗濯ハンガー１０の全体図であり、図２（ｂ）は洗濯ハンガー１０に吊るされた洗濯ばさみ５の拡大図であり、図３（ａ）は同洗濯ばさみ絡み防止補助具１の洗濯ばさみ吊り下げ具通し孔２を洗濯ばさみ留部７の方向から通す方法を示す図であり、図３（ｂ）は同洗濯ばさみ絡み防止補助具１の袋状キャップ３を洗濯ばさみ把持部６に取り付ける方法を示す図であり、図３（ｃ）は同洗濯ばさみ絡み防止補助具１の洗濯ばさみ留部７に物を挟んで固定した図であり、図４は同洗濯ばさみ絡み防止補助具１を洗濯ばさみ５に取り付けた図であり、図５は同洗濯ばさみ絡み防止補助具１を洗濯ばさみ５に取り付けて洗濯ばさみ把持部６を摘んだ時の図であり、図６は同洗濯ばさみ絡み防止補助具１の弾性を備えたバンド４の変形例を示す上面図である。
【００２７】
同洗濯ばさみ絡み防止補助具１は図１（ａ）（ｂ）（ｃ）（ｄ）に示すように洗濯ばさみ把持部６に被せて取り付ける弾性を備えた袋状キャップ３を両端に備え、その一対の袋状キャップ３は弾性を備えたバンド４で連結されている。
【００２８】
図１（ａ）（ｂ）（ｃ）（ｄ）に示す同洗濯ばさみ絡み防止補助具１は、図２（ａ）の洗濯ハンガー１０に取り付けられた図２（ｂ）の洗濯ばさみ５どうしの絡まりや洗濯ばさみ５と洗濯ハンガー１０の枠体又は洗濯物との絡みを防止するために用いられ、洗濯ばさみ把持部６に被せて固定する弾性を備えた袋状キャップ３と、その一対の袋状キャップ３は帯状の弾性を備えたバンド４で連結され、弾性を備えたバンド４には洗濯ばさみ吊り下げ具通し孔２を設ける。袋状キャップ３の袋状とは袋のような形状を示すが、必ずしも袋のような形状でなくてもよく、要するに洗濯ばさみ把持部６の上方から被せることができる形状であれば筒状等であってもよい。
【００２９】
図３（ａ）に示すように洗濯ばさみ留部７の方向から洗濯ばさみ把持部６の方へ帯状の弾性を備えたバンド４の洗濯ばさみ吊り下げ具通し孔２を広げながら通し、洗濯ばさみ把持部６まで通してから図３（ｂ）に示すように最後に袋状キャップ３を洗濯ばさみ把持部６に被せて固定する。弾性を備えたバンド４であるため曲げることができ容易に固定することができる。洗濯ばさみ留部７の方向から洗濯ばさみ吊り下げ具通し孔２を広げながら通していくだけであり、洗濯ばさみ絡み防止補助具１を取り付けても弾性を備えたバンド４には洗濯ばさみ吊り下げ具通し孔２があるので洗濯ばさみ吊り下げ具８は邪魔にならない。洗濯ばさみ吊り下げ具８はチェーン型（鎖状）や棒型（ストレート状）など様々な形状のものがあるが形状に関係なく、しかも洗濯ハンガー１０から洗濯ばさみ５を外すことなく高齢者でも容易に取り付けることができる。
【００３０】
洗濯ばさみ吊り下げ具通し孔２を洗濯ばさみ留部７の方向から通していく場合、図３（ｃ）に示すように洗濯ばさみ留部７に物を挟んで固定することにより洗濯ばさみ留部７の幅は広がるが、洗濯ばさみ把持部６の幅が狭くなり洗濯ばさみ５の全体の幅が狭くなり洗濯ばさみ吊り下げ具通し孔２を通しやすくなる。
【００３１】
同洗濯ばさみ絡み防止補助具１の洗濯ばさみ吊り下げ具通し孔２を洗濯ばさみ留部７の方向から通して袋状キャップ３を洗濯ばさみ把持部６に固定する場合、袋状キャップ３は弾性を備えているため、図３（ｂ）に示すように洗濯ばさみ把持部６に孔が有っても無くても関係なく、どのような形状の洗濯ばさみ把持部６であっても両方の洗濯ばさみ把持部６に袋状キャップ３を被せるだけなので高齢者でも容易に固定することができ、洗濯ばさみ５を洗濯ハンガー１０から外す手間もなく自宅にある洗濯ハンガー１０のどのような形状の洗濯ばさみ５にでも本発明の洗濯ばさみ絡み防止補助具１を取り付けることができる。洗濯ばさみ５に洗濯ばさみ絡み防止補助具１を取り付けると図４に示すようになり、洗濯ばさみ把持部６を摘むと帯状の弾性を備えバンド４は図５に示すようになる。
【００３２】
洗濯ばさみ絡み防止補助具１を洗濯ばさみ５に取り付けることにより、一対の袋状キャップ３は弾性を備えたバンド４で連結されているため、絡まりの原因となる洗濯ばさみ５のＶ字型となる部分の空間を帯状の弾性を備えたバンド４で埋めることができる。本発明は、洗濯ハンガー１０に取り付けられているすべての洗濯ばさみ５に洗濯ばさみ絡み防止補助具１を取り付けることにより洗濯ばさみ５どうしが絡まったり洗濯ばさみ５が洗濯ハンガー１０の枠体や洗濯物に絡まったりすることを防止することができる。
【００３３】
洗濯ばさみ５の仕組みは、２つのプラスチックや木製、金属製の部位を針金製バネ９で
組み合わせたものが一般的で、左右の洗濯ばさみ把持部６を摘むことにより洗濯ばさみ留部７の部分が開き、手を離すと洗濯ばさみ留部７が閉じて洗濯物が固定される仕組みになっている。左右の洗濯ばさみ把持部６を摘むということは左右の洗濯ばさみ把持部６はお互いに寄り合いお互いの距離は縮まる動きとなる。
【００３４】
洗濯ばさみ把持部６を指で摘み、左右の洗濯ばさみ把持部６がお互い寄り合いお互いの距離が縮まる動きをしても洗濯ばさみ絡み防止補助具１は、弾性を備えたバンド４で連結しているため、図５に示すような形状の動きとなり操作の妨げにならない。
【００３５】
以下、本発明の同洗濯ばさみ絡み防止補助具１の変形例について説明する。図６に示すように弾性を備えたバンド４は帯状でなくてもよい。帯状のバンド中央の部分をバンドの幅より大きく円形状にする。バンドの幅より大きくする事により、洗濯ばさみ吊り下げ具８を通す洗濯ばさみ吊り下げ具通し孔２を大きくすることができ、洗濯ばさみ吊り下げ具通し孔２を洗濯ばさみ留部７の方向から通していく際に通しやすくなる。また、洗濯ばさみ吊り下げ具通し孔２を大きく円形状にすることにより、洗濯ばさみ吊り下げ具８で吊るされた洗濯ばさみ５の可動範囲が広くなり作業がしやすくなる。変形例としてバンドの中央部分を円形状としたが必ずしも円形状でなくてもよい。
【実施例２】
【００３６】
次に、本発明の洗濯ばさみ絡み防止補助具１１の実施例２について図面を参照しながら説明する。図７（ａ）は実施例２における洗濯ばさみ絡み防止補助具１１の上方斜視図であり、図７（ｂ）は同洗濯ばさみ絡み防止補助具１１を洗濯ばさみ留部７の方向から取り付ける方法を示す図であり、図７（ｃ）同洗濯ばさみ絡み防止補助具１１を洗濯ばさみ５に取り付けた図であり、図７（ｄ）は同洗濯ばさみ絡み防止補助具１１を洗濯ばさみ５に取り付け、洗濯ばさみ把持部６を摘んだ時の鉢巻状の弾性を備えたバンド４の上面図である。
【００３７】
実施例１と相違するところは図７（ａ）に示すように弾性を備えたバンド４は、一対の袋状キャップ３を鉢巻状に連結しているところである。本実施例の取り付け方法は、図７（ｂ）に示すように洗濯ばさみ留部７の方向から洗濯ばさみ把持部６の方へ弾性を備えた鉢巻状のバンド４を広げながら通し、洗濯ばさみ把持部６まで通してから、図３（ｂ）に示す実施例１と同様に最後に袋状キャップ３を洗濯ばさみ把持部６に固定する。図７（ｃ）は同洗濯ばさみ絡み防止補助具１１を洗濯ばさみ５に取り付けた図である。
【００３８】
洗濯ばさみ把持部６を摘んだ際に実施例１では図５に示すように帯状のバンドは上方向（洗濯ハンガー９の方向）へ動くが、本実施例では図７（ｄ）に示すように鉢巻状のバンドは横方向へ広がるので洗濯ばさみ５を操作する際には鉢巻状のバンド４は洗濯ばさみ吊り下げ具８と接触しないため洗濯ばさみ吊り下げ具８の形状によれば弾性のバンド４は鉢巻状の方がスムーズに操作しやすい場合もある。更に鉢巻状を大きく円形にすることにより洗濯ばさみ留部７の方向から更に通しやすくなり、取り付け後は洗濯ばさみ吊り下げ具８で吊るされた洗濯ばさみ５の可動範囲も広くなり作業がしやすくなる。
【００３９】
また、実施例１と大きく相違するところは、弾性を備えたバンド４は袋状キャップ３の側面に連結されているため同洗濯ばさみ絡み防止補助具１１を取り付けた場合に弾性を備えた鉢巻状のバンド４は洗濯ばさみ把持部６の側面を鉢巻状に形成するところである。よって洗濯ばさみ吊り下げ具通し孔２より洗濯ばさみ吊り下げ具８の可動範囲が広く確保されるため、洗濯ばさみ吊り下げ具８で吊るされた洗濯ばさみ５の可動範囲も広くなる。また、鉢巻状の形状を円形に大きくすることにより更に洗濯ばさみ５の可動範囲が広くなり作業がしやすくなる。
【実施例３】
【００４０】
次に、本発明の洗濯ばさみ絡み防止補助具１２の実施例３について図面を参照しながら説明する。図８（ａ）は実施例３における洗濯ばさみ絡み防止補助具１２の上面図であり、図８（ｂ）は同洗濯ばさみ絡み防止補助具１２の洗濯ばさみ吊り下げ具通し孔２に洗濯ばさみ吊り下げ具８を通す方法を示す図である。
【００４１】
同洗濯ばさみ絡み防止補助具１２の一対の袋状キャップ３は帯状の弾性を備えたバンド４で連結され、同バンドには洗濯ばさみ吊り下げ具通し孔２が設けられるが、実施例１と相違するところは図８（ａ）に示すように、この孔の一方の連結辺が開放されており、図８（ｂ）に示すように洗濯ばさみ吊り下げ具８を押し込んで通すことができる。容易に押し込んで洗濯ばさみ吊り下げ具８を通すことができるのは弾性を備えたバンド４であるからである。
【００４２】
同洗濯ばさみ絡み防止補助具１２の取り付け方法は実施例１と違い袋状キャップ３を洗濯ばさみ把持部６に差し込んで固定してから、図８（ｂ）に示すように洗濯ばさみ吊り下げ具８を押し込んで通す。
【００４３】
実施例１にもあるように洗濯ばさみ吊り下げ具８はチェーン型（鎖状）や棒型（ストレート状）など様々な形状のものがあるが、本実施例でも洗濯ばさみ吊り下げ具８の形状に関係なく高齢者でも洗濯ばさみ吊り下げ具通し孔２の中に押し込んで容易に通すことができる。また、洗濯ばさみ５を洗濯ハンガー１０から外す手間もなく容易に同洗濯ばさみ絡み防止補助具１２を取り付けることができる。洗濯ばさみ５に同洗濯ばさみ絡み防止補助具１２を取り付けた場合、図４に示す実施例１と同様で絡まりの原因となる洗濯ばさみ５のＶ字型となる部分の空間を帯状のバンドで埋めることができる。また、洗濯ばさみ把持部６を摘んだ際も図５に示す実施例１と同様の形状になる。
【００４４】
以下、本発明の洗濯ばさみ絡み防止補助具１２の弾性を備えたバンド４の一方の連結辺を開放する図８以外のその他の変形例について図面を参照しながら説明する。図９（ａ）は弾性を備えたバンド４の開放された一方の連結辺が重なり合っている。一方の連結辺が重なり合っていることにより、洗濯ばさみ吊り下げ具８が洗濯ばさみ吊り下げ具通し孔２から抜けにくくなる。図９（ｂ）は帯状の弾性を備えたバンド４に洗濯ばさみ吊り下げ具通し孔２は刳り貫かれたような形状の孔ではなくバンドの一方の連結辺を大きく開放する。このような形状であっても洗濯ばさみ５どうし絡みあうことを防止することができる。また、洗濯ばさみ絡み防止補助具１２を取り付ける際は袋状キャップ３を洗濯ばさみ把持部６に差し込むだけで洗濯ばさみ吊り下げ具８を洗濯ばさみ吊り下げ具通し孔２に通す手間を省くことができる。さらに孔の形状ではなく完全に開放されているので洗濯ばさみ５の可動範囲が広くなる。図９（ｃ）は帯状のバンド中央の部分をバンドの幅より大きく半円状にしたものである。弾性を備えたバンド４の幅を広げ半円状にすることにより洗濯ばさみ５の可動範囲が更に広くなり作業がしやすくなる。図９（ｄ）は実施例３で一方の連結辺を開放したが、もう一方の連結辺も開放する。両方の連結辺を開放することにより両端の袋状キャップ３は一体形成でなく連結されない形状になるが、両方の洗濯ばさみ把持部６に取り付けることによりＶ字型の洗濯ばさみ５の空間を埋めることができ、さらに取り付けもそれぞれの袋状キャップ３を洗濯ばさみ把持部６に被せて固定するだけでよいので洗濯ばさみ吊り下げ具８を通す手間が省ける。いずれの変形例も洗濯ばさみ把持部６に被せて固定する弾性を備えた袋状キャップ３を両端に備えているので、洗濯ばさみ把持部６への取り付け方法はこれまでと同様であり同様の効果を得ることができる。
【実施例４】
【００４５】
次に、本発明の洗濯ばさみ絡み防止補助具１３の実施例４について図面を参照しながら説明する。図１０は本発明の実施例４の洗濯ばさみ絡み防止補助具１３の上方斜視図であり、図１１は同洗濯ばさみ絡み防止補助具１３の変形例を示す上方斜視図である。
【００４６】
弾性を備えたバンド４は、一対の袋状キャップ３を鉢巻状に連結している。実施例２と相違するところは図１０に示すように鉢巻状に連結した弾性を備えたバンド４の一方の連結辺を開放したものである。取り付け方法は実施例３と同様であり実施例３と同様の効果を得る。
【００４７】
以下、本発明の変形例について説明する。鉢巻状に連結した弾性を備えたバンド４の一方の連結辺を図１１に示すように開放するだけでなく一方の辺を取り除いてもよい。これは鉢巻状にはならず一対の袋状キャップ３を一辺で連結するということである。一辺で連結するため片側は完全に開放された状態になり洗濯ばさみ吊り下げ具８で吊るされた洗濯ばさみ５の可動範囲が更に広くなり作業もしやすくなり、取り付けもそれぞれの袋状キャップ３を洗濯ばさみ把持部６に被せて固定するだけでよいので洗濯ばさみ吊り下げ具８を通す手間が省ける。
【００４８】
すべての実施例で共通するのは、洗濯ばさみ絡み防止補助具は弾性を備えた袋状キャップ３を有し、取り付ける際に洗濯ハンガー１０から洗濯ばさみ５を外すことなくどのような形状の洗濯ばさみ５にでも、高齢者でも容易に取り付けることができるものである。洗濯ばさみ絡み防止補助具の材質は弾性を備え、少なくとも耐候性に優れた材質で、たとえばＥＰＤＭゴムなどが用いられる。ＥＰＤＭゴムなどは、弾性、耐候性も優れているほか、滑りにくい材質であるため洗濯ばさみ絡み防止補助具を取り付け、洗濯ばさみ把持部６を摘んで操作する際にも滑りにくく摘みやすい。しかも洗濯ばさみ把持部６から抜けにくい。また、両面テープなどで固定することによりさらに強固に固定することができる。なお、洗濯ばさみ絡み防止補助具の材質をＥＰＤＭゴムとしたが、これに限らず耐候性に優れ弾性を有する材質で、更に伸縮性があればよく、滑りにくい材質であればよい。ゴム素材を使用した場合、重量も軽く高齢者にとっても負担がかからない。
【符号の説明】
【００４９】
１      洗濯ばさみ絡み防止補助具
２      洗濯ばさみ吊り下げ具通し孔
３      袋状キャップ
４      弾性を備えたバンド
５      洗濯ばさみ
６      洗濯ばさみ把持部
７      洗濯ばさみ留部
８      洗濯ばさみ吊り下げ具
９      針金製バネ
１０    洗濯ハンガー
１１    洗濯ばさみ絡み防止補助具
１２    洗濯ばさみ絡み防止補助具
１３    洗濯ばさみ絡み防止補助具
【図１】
2014057708.tif 000003
【図２】
2014057708.tif 000004
【図３】
2014057708.tif 000005
【図４】
2014057708.tif 000006
【図５】
2014057708.tif 000007
【図６】
2014057708.tif 000008
【図７】
2014057708.tif 000009
【図８】
2014057708.tif 000010
【図９】
2014057708.tif 000011
【図１０】
2014057708.tif 000012
【図１１】
2014057708.tif 000013